(57)【要約】【課題】  ノイズが重畳したテレビジョン放送信号を受信したときでも、水平同期信号検出判定を誤ることの少ない水平同期信号検出回路を提供する。【解決手段】  水平同期信号検出回路は、ＨＳＹＮＣ信号に含まれるパルス数をｍＨ期間に亘ってカウントする第１カウント部１と、第１カウント部１のカウント値Ｃを基準値ｍと比較する第１比較部２と、第１比較部２によりカウント値Ｃが基準値ｍより大きいと判明したときに１Ｈ期間を４等分した各期間に含まれるＨＳＹＮＣ信号のパルス数をｍＨ期間に亘って累積カウントする第２カウント部４Ａ〜４Ｄと、第２カウント部４Ａ〜４Ｄのカウント値Ｃ１〜Ｃ４をそれぞれ基準値ｍと比較する第２比較部５Ａ〜５Ｄと、第１比較部２および第２比較部５Ａ〜５Ｄからの出力に基づいてＨＳＹＮＣ信号に水平同期信号が含まれているかどうかを判定し、判定結果を検出信号として出力する判定部６とを備える。【選択図】  図１
2007215134.tif 000002
【特許請求の範囲】
【請求項１】
入力信号に含まれるパルスの数を１水平期間Ｈをｍ倍（ｍは２以上の整数）したｍＨ期間カウントする第１のカウント手段と、
前記第１のカウント手段のカウント値を前記ｍと比較する第１の比較手段と、
前記第１のカウント手段のカウント値が前記ｍより大きいことを前記第１の比較手段が検出したときに、１水平期間をｎ等分（ｎは２以上の整数）した期間のそれぞれに含まれる前記入力信号のパルス数を前記ｍＨ期間の間累積カウントするｎ個の第２のカウント手段と、
前記ｎ個の第２のカウント手段のそれぞれのカウント値を前記ｍとそれぞれ比較するｎ個の第２の比較手段と、
前記第１の比較手段の出力と前記ｎ個の第２の比較手段の出力に基づいて前記入力信号に水平同期信号が含まれているかどうかを判定する判定手段と
を備えることを特徴とする水平同期信号検出回路。
【請求項２】
前記判定手段は、前記第１の比較手段により前記第１のカウント手段のカウント値が前記ｍと等しいことが検出されたとき、または、前記ｎ個の第２の比較手段により前記ｎ個の第２のカウント手段のいずれか１つのカウント値が前記ｍ以上であり、残りの第２のカウント手段のカウント値がいずれも前記ｍより小さいことが検出されたときに、前記入力信号に前記水平同期信号が含まれていると判定することを特徴とする請求項１に記載の水平同期信号検出回路。
【請求項３】
入力信号に含まれるパルスの数を所定の期間Ｔをｋ倍（ｋは２以上の整数）したｋＴ期間カウントする第１のカウント手段と、
前記第１のカウント手段のカウント値を前記ｋＴ期間の前記入力信号に含まれるはずの水平同期信号の所定数と比較する第１の比較手段と、
前記第１のカウント手段のカウント値が前記所定数より大きいことを前記第１の比較手段が検出したときに、前記所定の期間Ｔをさらにｎ等分（ｎは２以上の整数）した期間のそれぞれに含まれる前記入力信号のパルス数を前記所定の期間の間累積カウントするｎ個の第２のカウント手段と、
前記ｎ個の第２のカウント手段のそれぞれのカウント値を前記所定数とそれぞれ比較するｎ個の第２の比較手段と、
前記ｎ個の第２の比較手段により前記ｎ個の第２のカウント手段のいずれのカウント値も前記所定数より小さいことが検出されたときに、前記ｎ個の第２のカウント手段のカウント値の中の最大のカウント値と、その最大のカウント値を示すカウント手段がカウントする期間に隣接する期間をカウントするカウント手段のカウント値とを加算する加算手段と、
前記第１の比較手段の出力と前記ｎ個の第２の比較手段の出力および前記加算手段の出力に基づいて前記入力信号に水平同期信号が含まれているかどうかを判定する判定手段と
を備えることを特徴とする水平同期信号検出回路。
【請求項４】
前記加算手段は、前記加算を行なうそれぞれのカウント値から、前記ｎ個の第２のカウント手段のカウント値の中の最小のカウント値を予め差し引いた上で、前記加算を行なうことを特徴とする請求項３に記載の水平同期信号検出回路。
【請求項５】
前記判定手段は、前記第１の比較手段により前記第１のカウント手段のカウント値が前記所定数と等しいことが検出されたとき、または、前記ｎ個の第２の比較手段により前記ｎ個の第２のカウント手段のカウント値のいずれか１つが前記所定数以上であり、残りの第２のカウント手段のカウント値がいずれも前記所定数より小さいことが検出されたとき、あるいは、前記加算手段の加算値が前記所定数以上であるときに、前記入力信号に前記水平同期信号が含まれていると判定することを特徴とする請求項３または４に記載の水平同期信号検出回路。
【発明の詳細な説明】
【技術分野】
【０００１】
本発明は、水平同期信号検出回路に関し、特にテレビジョン放送受信装置における水平同期信号検出回路に関する。
【背景技術】
【０００２】
テレビジョン放送受信装置では、受信したコンポジット信号から水平同期信号抽出回路により水平同期信号を抽出し、テレビ画面のフレームを構成する各ライン信号の同期をとるようにしている。このとき、水平同期信号が正しく抽出できたかどうかを検出するための水平同期信号検出回路を設け、この水平同期信号検出回路の出力を各種の信号処理に利用している。例えば、テレビジョン放送信号が途切れて水平同期信号が抽出できないときには、この水平同期信号検出回路からの出力によってテレビ画面をブルーバック画面に切り替え、画面が乱れるなどの視覚上の不快感を緩和することに利用している。
【０００３】
この水平同期信号検出回路の従来の例として、水平同期信号抽出回路の出力信号のパルス数をカウンタで一定期間カウントし、その数が所定数あれば水平同期信号を検出したと判定する回路がある（例えば、特許文献１参照。）。例えば、ＮＴＳＣ方式のテレビジョン放送では、１フィールド当たり約２６２本の水平同期信号があり、１フィールドが１／６０秒なので、上述のような水平同期信号検出回路では、水平同期信号抽出回路の出力信号のパルス数を、例えば１／６０秒間カウントし、その数が２６２に近ければ「水平同期信号検出」と判定する。
【０００４】
しかし、上述のような水平同期信号抽出回路の出力信号のパルス数を単にカウントするだけの水平同期信号検出回路では、ノイズによって誤動作するという問題が発生する。例えば、弱電界で十分な信号レベルがなく、高レベルのノイズが多数重畳した信号を受信した場合、水平同期信号抽出回路は水平同期信号を正しく抽出できないが、水平同期信号抽出回路から出力されるパルス数がたまたま所定数であれば、上述の水平同期信号検出回路は「水平同期信号検出」と判定するという誤動作が生じる。そのため、例えば、テレビ画面をブルーバック画面に切り替えることができず、画面が乱れるなどの問題が発生する。
【特許文献１】特開平１０−２１５４３５号公報  （第４ページ、図１）
【発明の開示】
【発明が解決しようとする課題】
【０００５】
そこで、本発明の目的は、ノイズが重畳したテレビジョン放送信号を受信したときでも、水平同期信号検出判定を誤ることの少ない水平同期信号検出回路を提供することにある。
【課題を解決するための手段】
【０００６】
本発明の一態様によれば、入力信号に含まれるパルスの数を１水平期間Ｈをｍ倍（ｍは２以上の整数）したｍＨ期間カウントする第１のカウント手段と、前記第１のカウント手段のカウント値を前記ｍと比較する第１の比較手段と、前記第１のカウント手段のカウント値が前記ｍより大きいことを前記第１の比較手段が検出したときに、１水平期間をｎ等分（ｎは２以上の整数）した期間のそれぞれに含まれる前記入力信号のパルス数を前記ｍＨ期間の間累積カウントするｎ個の第２のカウント手段と、前記ｎ個の第２のカウント手段のそれぞれのカウント値を前記ｍとそれぞれ比較するｎ個の第２の比較手段と、前記第１の比較手段の出力と前記ｎ個の第２の比較手段の出力に基づいて前記入力信号に水平同期信号が含まれているかどうかを判定する判定手段とを備えることを特徴とする水平同期信号検出回路が提供される。
【０００７】
また、本発明の別の一態様によれば、入力信号に含まれるパルスの数を所定の期間Ｔをｋ倍（ｋは２以上の整数）したｋＴ期間カウントする第１のカウント手段と、前記第１のカウント手段のカウント値を前記ｋＴ期間の前記入力信号に含まれるはずの水平同期信号の所定数と比較する第１の比較手段と、前記第１のカウント手段のカウント値が前記所定数より大きいことを前記第１の比較手段が検出したときに、前記所定の期間Ｔをさらにｎ等分（ｎは２以上の整数）した期間のそれぞれに含まれる前記入力信号のパルス数を前記所定の期間の間累積カウントするｎ個の第２のカウント手段と、前記ｎ個の第２のカウント手段のそれぞれのカウント値を前記所定数とそれぞれ比較するｎ個の第２の比較手段と、前記ｎ個の第２の比較手段により前記ｎ個の第２のカウント手段のいずれのカウント値も前記所定数より小さいことが検出されたときに、前記ｎ個の第２のカウント手段のカウント値の中の最大のカウント値と、その最大のカウント値を示すカウント手段がカウントする期間に隣接する期間をカウントするカウント手段のカウント値とを加算する加算手段と、前記第１の比較手段の出力と前記ｎ個の第２の比較手段の出力および前記加算手段の出力に基づいて前記入力信号に水平同期信号が含まれているかどうかを判定する判定手段とを備えることを特徴とする水平同期信号検出回路が提供される。
【発明の効果】
【０００８】
本発明によれば、ノイズが重畳した信号を受信したときでも、水平同期信号検出判定の誤りを少なくすることができる。
【発明を実施するための最良の形態】
【０００９】
以下、本発明の実施例を図面を参照して説明する。
【実施例１】
【００１０】
図１は、本発明の実施例１に係る水平同期信号検出回路の構成の例を示すブロック図である。本実施例の水平同期信号検出回路は、テレビジョン放送受信装置の水平同期信号抽出回路から出力されるＨＳＹＮＣ信号に含まれるパルス数を１水平期間（Ｈ）のｍ倍（ｍは２以上の整数）の期間（ｍＨ期間）カウントすることによって、ＨＳＹＮＣ信号に水平同期信号が含まれているかどうかを判定する回路である。
【００１１】
テレビジョン放送受信装置が正常にテレビジョン信号を受信し、受信したテレビジョン信号にノイズが重畳していなければ、ｍＨ期間のＨＳＹＮＣ信号にはｍ個の水平同期信号が含まれているはずであり、ＨＳＹＮＣ信号に含まれるパルス数はｍとなるはずである。したがって、本実施例では、このｍをパルス数カウント値の基準値として、ＨＳＹＮＣ信号に水平同期信号が含まれているかどうかを判定する。
【００１２】
ＨＳＹＮＣ信号に含まれるパルス数をカウントするブロックとして、本実施例の水平同期信号検出回路は、ｍＨ期間の総パルス数をカウントする第１カウント部１と、ノイズの影響によりｍＨ期間の総パルス数が基準値ｍより多いときに、１Ｈ期間を４等分した期間（Ｔ１、Ｔ２、Ｔ３、Ｔ４）のそれぞれに含まれるパルス数をｍＨ期間の間累積カウントする４個の第２カウント部４Ａ〜４Ｄを備える。なお、本実施例では、１Ｈ期間を４等分することとしているが、この等分は４等分に限るものではなく、任意のｎ等分（ｎは２以上の整数）とすることができる。そのとき、１Ｈの等分の数に合わせて、第２カウント部はｎ個設ける。
【００１３】
次に、図１の水平同期信号検出回路の構成および動作について説明する。
【００１４】
本実施例の水平同期信号検出回路は、入力されたＨＳＹＮＣ信号に含まれるパルス数をｍＨ期間に亘ってカウントする第１カウント部１と、第１カウント部１のカウント値Ｃを基準値ｍと比較する第１比較部２と、第２カウント部４Ａ〜４Ｄのカウント実行を制御するイネーブル制御部３と、１Ｈ期間を４等分したＴ１、Ｔ２、Ｔ３、Ｔ４各期間のそれぞれに含まれるＨＳＹＮＣ信号のパルス数をｍＨ期間に亘って累積カウントする第２カウント部４Ａ、４Ｂ、４Ｃ、４Ｄと、第２カウント部４Ａ、４Ｂ、４Ｃ、４Ｄのカウント値Ｃ１、Ｃ２、Ｃ３、Ｃ４をそれぞれ基準値ｍと比較する第２比較部５Ａ、５Ｂ、５Ｃ、５Ｄと、第１比較部２および第２比較部５Ａ〜５Ｄからの出力に基づいてＨＳＹＮＣ信号に水平同期信号が含まれているかどうかを判定し、判定結果を検出信号として出力する判定部６とを備える。
【００１５】
第１カウント部１および第２カウント部４Ａ〜４Ｄは、ｍＨ期間ごとにクリアパルスを発生するクリア信号ｍＨによって、ｍＨ期間ごとにそのカウント値がクリアされる。
【００１６】
第１比較部２は、第１カウント部１のカウント値Ｃを基準値ｍと比較し、Ｃ＝ｍであるときは、Ｃ＝ｍ信号を判定部６へ出力し、Ｃ＞ｍであるときは、Ｃ＞ｍ信号をイネーブル制御部３へ出力する。
【００１７】
イネーブル制御部３は、例えば、ＡＮＤゲート３Ａ、３Ｂ、３Ｃ、３Ｄで構成される。ＡＮＤゲート３Ａ、３Ｂ、３Ｃ、３Ｄには、第１カウント部１からのＣ＞ｍ信号とＨＳＹＮＣ信号が共通に入力されるとともに、それぞれにイネーブル信号Ｔ１、Ｔ２、Ｔ３、Ｔ４が入力される。ＡＮＤゲート３Ａ、３Ｂ、３Ｃ、３Ｄの出力は、それぞれ第２カウント部４Ａ、４Ｂ、４Ｃ、４Ｄへ出力される。
【００１８】
ここで、イネーブル信号Ｔ１、Ｔ２、Ｔ３、Ｔ４は、それぞれ、図２に示すように１Ｈ期間を４等分する期間Ｔ１、Ｔ２、Ｔ３、Ｔ４の間だけ発生する信号である。イネーブル信号Ｔ１は、Ｔ１期間の間だけ第２カウント部４Ａをカウント可能な状態にするイネーブル信号である。同様に、イネーブル信号Ｔ２、Ｔ３、Ｔ４は、それぞれ、Ｔ２期間の間だけ第２カウント部４Ｂをカウント可能な状態にし、Ｔ３期間の間だけ第２カウント部４Ｃをカウント可能な状態にし、Ｔ４期間の間だけ第２カウント部４Ｄをカウント可能な状態にするイネーブル信号である。
【００１９】
第２カウント部４Ａ、４Ｂ、４Ｃ、４Ｄは、第１カウント部１からＣ＞ｍ信号が出力されたときに、図２に示すＴ１、Ｔ２、Ｔ３、Ｔ４各期間のそれぞれに含まれるＨＳＹＮＣ信号のパルス数をｍＨ期間に亘って累積カウントする。
【００２０】
第２比較部５Ａ、５Ｂ、５Ｃ、５Ｄは、第２カウント部４Ａ、４Ｂ、４Ｃ、４Ｄのカウント値Ｃ１、Ｃ２、Ｃ３、Ｃ４を各々基準値ｍと比較し、各カウント値がｍより小さいときはＣ＜ｍ信号を判定部６へそれぞれ出力し、各カウント値がｍ以上であるときはＣ≧ｍ信号を判定部６へそれぞれ出力する。
【００２１】
判定部６は、第１比較部２から出力されるＣ＝ｍ信号、および第２比較部５Ａ〜５Ｄからそれぞれ出力されるＣ＜ｍ信号、Ｃ≧ｍ信号を用いて、ＨＳＹＮＣ信号に水平同期信号が含まれているかどうかを判定する。
【００２２】
判定部６は、次のいずれかの条件が満たされたときにＨＳＹＮＣ信号に水平同期信号が含まれていると判定する。  
（判定条件１）第１比較部２からＣ＝ｍ信号が出力されたとき。  
（判定条件２）第１比較部２からＣ＝ｍ信号は出力されないが、第２比較部５Ａ〜５Ｄのいずれか１つのみからＣ≧ｍ信号が出力されたとき。
【００２３】
この条件は、次に述べる考え方から導き出されたものである。
【００２４】
すなわち、（判定条件１）は、「ＨＳＹＮＣ信号にノイズが重畳しておらず、水平同期信号のみが含まれている場合、ＨＳＹＮＣ信号にはｍ個の水平同期信号が含まれているはずであり、第１カウント部のカウント値Ｃはｍとなり、第１比較部２からＣ＝ｍ信号が出力されるはずである」との考えに基づいて設定された条件である。
【００２５】
これに対して、（判定条件２）は、ＨＳＹＮＣ信号にノイズが重畳している場合を想定したときの判定条件である。ここで、ノイズはランダムに発生するものであって周期性がなく、また、ｍＴ期間中のノイズの分布は一様なものと考える。
【００２６】
ＨＳＹＮＣ信号に水平同期信号とノイズが含まれている場合、第１カウント部１のカウント値Ｃはｍより大きくなる。その結果、第１比較部２からＣ＝ｍ信号は出力されず、Ｃ＞ｍ信号が出力される。Ｃ＞ｍ信号が出力されると、第２カウント部４Ａ、４Ｂ、４Ｃ、４Ｄはイネーブルとなり、カウント値Ｃ１、Ｃ２、Ｃ３、Ｃ４を出力する。
【００２７】
このとき、水平同期信号は１Ｈ期間ごとに周期的に発生するものであり、その発生タイミングが、図２におけるＴ１期間であるものとするならば、第２カウント部４Ａのみが、水平同期信号のパルス数をカウントする。これに対して、第２カウント部４Ｂ〜４Ｄはノイズのみをカウントする。ここで、ノイズが、Ｔ１、Ｔ２、Ｔ３、Ｔ４各期間でα個ずつ均等に発生したものとすると、第２カウント部４Ａ、４Ｂ、４Ｃ、４Ｄのカウント値Ｃ１、Ｃ２、Ｃ３、Ｃ４は、Ｃ１＝ｍ＋α、Ｃ２＝α、Ｃ３＝α、Ｃ４＝αとなる。ここで、受信環境が悪くない場合、α＜ｍと考えられるので、上述の場合、Ｃ１のみがｍ以上となる。したがって、この場合、第２比較部５ＡからのみＣ≧ｍ信号が出力され、第２比較部５Ｂ〜５ＤからはＣ＜ｍ信号が出力される。
【００２８】
なお、ここでは、Ｔ１期間に水平同期信号が発生する場合を例にとったが、Ｔ２〜Ｔ４期間に水平同期信号が発生する場合、第２カウント部４Ｂ〜４Ｄのうち、その期間をカウントするカウント部のカウント値のみがｍ＋αとなる。
【００２９】
一方、受信環境が悪く、ＨＳＹＮＣ信号に水平同期信号が含まれず、ノイズのみが含まれていいて、かつ、ノイズの数が多い場合にも、第１カウント部１のカウント値Ｃがｍより大きくなることがある。そのため、この場合も、第２カウント部４Ａ、４Ｂ、４Ｃ、４Ｄがイネーブルとなり、カウント値Ｃ１、Ｃ２、Ｃ３、Ｃ４を出力する。
【００３０】
このとき、ノイズは周期性がなく、ｍＴ期間に亘って一様に発生すると考えられるので、確率的には、Ｃ１＝Ｃ２＝Ｃ３＝Ｃ４となる可能性が高い。
【００３１】
その場合に、ノイズの数が少ない場合、Ｃ１、Ｃ２、Ｃ３、Ｃ４のいずれもｍより小さくなると考えられる。例えば、第１カウント部１のカウント値Ｃが、Ｃ＝ｍ＋４αであった場合、Ｃ１＝Ｃ２＝Ｃ３＝Ｃ４＝ｍ／４＋αとなる。この場合、α＜３ｍ／４であれば、Ｃ１、Ｃ２、Ｃ３、Ｃ４のいずれもｍより小さくなるものと考えられる。
【００３２】
一方、ノイズの数が多く、第２カウント部４Ａ〜４Ｄのいずれかのカウント値がｍ以上となる場合、他のカウント値のいずれかがｍ以上となる確率が高い。
【００３３】
そこで、このような場合には「ＨＳＹＮＣ信号に水平同期信号が含まれていない」と判定するための条件として、（判定条件２）を設定する。
【００３４】
図３は、判定部６における水平同期信号検出判定の手順を示すフロー図である。
【００３５】
判定部６は、まず、第１比較部２からＣ＝ｍ信号が出力されているかどうかをチェックし（ステップＳ０１）、Ｃ＝ｍ信号が出力されているときは（ＹＥＳ）、（判定条件１）により、ＨＳＹＮＣ信号に水平同期信号が含まれていることを「検出」したと判定する。
【００３６】
第１比較部２からＣ＝ｍ信号が出力されていないときは（ＮＯ）、続いて第２比較部５Ａ〜５ＤからＣ≧ｍ信号が出力されているかどうかをチェックする（ステップＳ０２）。
【００３７】
第２比較部５Ａ〜５ＤからＣ≧ｍ信号が１つも出力されていないとき（ＮＯ）、つまり、第２比較部５Ａ〜５Ｄからの出力が総てＣ＜ｍ信号であるときは、（判定条件２）により、ＨＳＹＮＣ信号に水平同期信号は含まれていない、すなわち、水平同期信号は「不検出」と判定する。
【００３８】
一方、第２比較部５Ａ〜５ＤからＣ≧ｍ信号が出力されているときは（ＹＥＳ）、その中の１つからのみＣ＝ｍ信号が出力されているどうかをチェックする（ステップＳ０３）。第２比較部５Ａ〜５Ｄの複数からＣ＝ｍ信号が出力されているときは（ＮＯ）、（判定条件２）により、ＨＳＹＮＣ信号に水平同期信号は含まれていない、すなわち、水平同期信号は「不検出」と判定する。
【００３９】
これに対して、第２比較部５Ａ〜５Ｄの１つからのみＣ≧ｍ信号が出力されているときは（ＹＥＳ）、（判定条件２）により、ＨＳＹＮＣ信号に水平同期信号が含まれていることを「検出」したと判定する。
【００４０】
このような本実施例によれば、水平同期信号抽出回路から出力される信号にノイズが重畳している場合でも、水平同期信号検出判定の誤りを少なくすることができる。
【実施例２】
【００４１】
図４は、本発明の実施例２に係る水平同期信号検出回路の構成の例を示すブロック図である。本実施例の水平同期信号検出回路は、図１に示す実施例１に加算部８０と、この加算部に加算を指示する指示部７０を追加し、判定部６０が、加算部８０の出力も判定材料に加えて、水平同期信号の検出判定を行なうようにしたものである。なお、図４において、図１に示したブロックと同一の機能を有するブロックには図１と同一の符号を付し、ここではその詳細な説明を省略する。
【００４２】
上述した実施例１の水平同期信号検出回路では、イネーブル信号Ｔ１〜Ｔ４およびクリア信号ｍＨが１水平期間に同期しているものとしていた。しかし、１水平期間は、例えばＮＴＳＣ方式のテレビジョンでは６３．５５７μｓと規定されており、これに正確に同期している信号を生成する回路には非常に高い精度が求められる。また、テレビジョンの方式によって１水平期間は異なっており、例えば、ＰＡＬ方式は６４．０μｓである。したがって、実施例１の水平同期信号検出回路で複数のテレビジョン方式に対応する場合、それぞれの規格に合わせたイネーブル信号およびクリア信号の生成が必要となる。そのため、イネーブル信号およびクリア信号を生成する回路が複雑になる。
【００４３】
そこで、本実施例は、イネーブル信号およびクリア信号が１水平期間に正確に同期していなくても、また、イネーブル信号およびクリア信号の周期をテレビジョン方式に応じて変えることを行わなくても、水平同期信号検出の判定を行なえるようにするものである。
【００４４】
図５に、本実施例の水平同期信号検出回路に入力されるイネーブル信号Ｔ１１〜Ｔ１４およびクリア信号ｋＨの周期と１水平期間（１Ｈ）との関係を示す。
【００４５】
イネーブル信号Ｔ１１〜Ｔ１４およびクリア信号ｋＨの周期は、１Ｈとは異なる期間の１Ｔに依存して発生している。すなわち、イネーブル信号Ｔ１１、Ｔ１２、Ｔ１３、Ｔ１４は、１Ｔを４等分したＴ１１、Ｔ１２、Ｔ１３、Ｔ１４期間ごとに発生する信号であり、クリア信号ｋＨは、１Ｔをｋ倍（ｋは２以上の整数）したｋＴ期間を周期として発生する信号である。
【００４６】
したがって、このｋＴ期間にＨＳＹＮＣ信号に含まれる水平同期信号の数は、ｋＴ期間を如何に設定するかによって異なってくる。そこで、本実施例では、設定したｋＴ期間と検出対象の水平同期信号の周期（Ｈ）をもとに、ｋＴ期間に含まれるはずの水平同期信号の数（ｋＴ÷Ｈ）を算出し、その算出結果に基づいて定めた所定数ｓを第１比較部２および第２比較部５Ａ〜５Ｄへ基準値として与える。
【００４７】
図４に戻って、本実施例の水平同期信号検出回路の構成および動作について説明する。
【００４８】
本実施例の第１比較部２は、第１カウント部１のカウント値Ｃを基準値ｓと比較し、Ｃ＝ｓであるときは、Ｃ＝ｓ信号を判定部６０へ出力し、Ｃ＞ｓであるときは、Ｃ＞ｓ信号をイネーブル制御部３へ出力する。
【００４９】
イネーブル制御部３は、第１カウント部１からのＣ＞ｓ信号、イネーブル信号Ｔ１１、Ｔ１２、Ｔ１３、Ｔ１４、およびＨＳＹＮＣ信号が入力され、第１カウント部１からＣ＞ｓ信号が出力されたときに、第２カウント部４ＡがＴ１１期間の間、４ＢがＴ１２期間の間、４ＣがＴ１３期間の間、４ＤがＴ１４期間の間、ＨＳＹＮＣに含まれるパルス数をカウントするように制御する。
【００５０】
第１カウント部１は、入力されたＨＳＹＮＣ信号に含まれるパルス数をｋＴ期間に亘ってカウントする。
【００５１】
第２カウント部４Ａ、４Ｂ、４Ｃ、４Ｄは、Ｔ１１、Ｔ１２、Ｔ１３、Ｔ１４の期間ごとのＨＳＹＮＣに含まれるパルス数をｋＴ期間に亘って累積カウントする。
【００５２】
第１カウント部１および第２カウント部４Ａ〜４Ｄは、ｋＴ期間ごとにクリアパルスを発生するクリア信号ｋＴによって、ｋＴ期間ごとにそのカウント値がクリアされる。
【００５３】
第２比較部５Ａ、５Ｂ、５Ｃ、５Ｄは、第２カウント部４Ａ、４Ｂ、４Ｃ、４Ｄのカウント値Ｃ１、Ｃ２、Ｃ３、Ｃ４を各々基準値ｓと比較し、各カウント値がｓより小さいときはＣ＜ｓ信号を判定部６０および指示部７０へそれぞれ出力し、各カウント値がｓ以上であるときはＣ≧ｓ信号を判定部６０へそれぞれ出力する。
【００５４】
指示部７０は、第２比較部５Ａ、５Ｂ、５Ｃ、５Ｄの総てからＣ＜ｓ信号が出力されたときに、加算部８０へ対して加算動作を行なうよう指示する。
【００５５】
加算部８０は、指示部７０からの加算指示を受けると、第２カウント部４Ａ〜４Ｄのカウント値Ｃ１〜Ｃ４の中から最大の値をとるカウント値を検出し、その最大のカウント値に、その最大のカウント値がカウントされる期間に隣接する期間のカウント値を加算する。
【００５６】
図６に、加算部８０の構成の例を示す。この例では、加算器８０は、最大値検出部８１と、隣接カウント値選択部８２と、加算器８３とを有する。
【００５７】
最大値検出部８１は、カウント値Ｃ１〜Ｃ４の中から最大の値をとるカウント値を検出する。
【００５８】
隣接カウント値選択部８２は、カウント値Ｃ１〜Ｃ４の中から、最大値検出部８１で最大値が検出された期間に隣接する期間のカウント値を選択する。ここで、隣接する期間とは、Ｔ１に対してはＴ４とＴ２、Ｔ２に対してはＴ１とＴ３、Ｔ３に対してはＴ２とＴ４、Ｔ４に対してはＴ３とＴ１である。
【００５９】
加算器８３は、指示部７０からの加算指示があったときに、最大値検出部８１から出力される最大カウント値と、隣接カウント値選択部８２から出力される隣接カウント値とを加算する。
【００６０】
図４に戻って、本実施例の判定部６０は、第１比較部２から出力されるＣ＝ｓ信号、および第２比較部５Ａ〜５Ｄからそれぞれ出力されるＣ＜ｓ信号、Ｃ≧ｓ信号に加えて、加算部８０からの出力を用いて、ＨＳＹＮＣ信号に水平同期信号が含まれているかどうかを判定する。
【００６１】
判定部６０は、次のいずれかの条件が満たされたときにＨＳＹＮＣ信号に水平同期信号が含まれていると判定する。  
（判定条件１）第１比較部２からＣ＝ｓ信号が出力されたとき。  
（判定条件２）第１比較部２からＣ＝ｓ信号は出力されないが、第２比較部５Ａ〜５Ｄのいずれか１つのみからＣ≧ｓ信号が出力されたとき。  
（判定条件３）第１比較部２からＣ＝ｓ信号が出力されず、第２比較部５Ａ〜５ＤのいずれからもＣ≧ｓ信号が出力されないときに、加算部８０から基準値ｓより大きい値が出力されたとき。
【００６２】
ここで、（判定条件１）、（判定条件２）は、先に説明した実施例１の判定部６の（判定条件１）、（判定条件２）と同じ考え方に基づいて設定されたものであるので、ここではその説明を省略する。
【００６３】
判定部６０は、（判定条件３）により、次に述べるような状況における水平同期信号検出の判定を行なうことができる。
【００６４】
本実施例では、１Ｔ期間と１Ｈ期間との間にずれがあるため、ＨＳＹＮＣ信号に含まれる水平同期信号の数を第２カウント部４Ａ〜４Ｄでカウントした場合、実施例１とは異なり、水平同期信号の数が複数の第２カウント部に分散されてカウントされることが起こりうる。
【００６５】
その場合、ＨＳＹＮＣ信号に基準値ｓに相当する数の水平同期信号が含まれていても、第２カウント部４Ａ〜４Ｄのカウント値Ｃ１〜Ｃ４のいずれもが基準値ｓより小さくなり、第２比較部５Ａ〜５ＤのいずれからもＣ≧ｓ信号が出力されない、すなわち、第２比較部５Ａ〜５Ｄの総てからＣ＜ｓ信号が出力されることが起こりうる。
【００６６】
このとき、１Ｔ期間と１Ｈ期間との間のずれを小さくしておくと、水平同期信号の大部分を、期間Ｔ１１〜Ｔ１４の中のある期間でカウントし、残りを、その期間に隣接する期間でカウントするようにすることができる。そこで、水平同期信号の大部分が発生する期間をカウントする第２カウント部のカウント値と、その期間に隣接する期間をカウントする第２カウント部のカウント値と、を加算すると、その加算値は基準値ｓ以上の値となる。この場合、水平同期信号の大部分が発生する期間をカウントする第２カウント部のカウント値は、第２カウント部４Ａ〜４Ｄのカウント値Ｃ１〜Ｃ４の中の最大値を示す。
【００６７】
一方、ＨＳＹＮＣ信号に基準値ｓに相当する数以上のパルスが含まれていても、それが水平同期信号ではなくノイズである場合、ノイズには周期性がないため、そのパルスは期間Ｔ１１〜Ｔ１４に均等に分散して発生するものと考えられる。そのため、第２カウント部４Ａ〜４Ｄのカウント値Ｃ１〜Ｃ４は、ほぼ等しい値になる。したがって、この場合、そのカウント値の中の最大値と、その最大値を示す期間に隣接する期間のカウント値とを加算したとしても、その加算値は基準値ｓより小さいものとなる。
【００６８】
そこで、第２カウント部４Ａ〜４Ｄのカウント値Ｃ１〜Ｃ４の中の最大値と、その最大値を示す期間に隣接する期間のカウント値とを加算する加算部８０を設ける。その上で、（判定条件３）を設けることにより、判定部６０は、上述のような状況においても、水平同期信号検出の判定を行なうことができる。
【００６９】
図７は、判定部６０における水平同期信号検出判定の手順を示すフロー図である。
【００７０】
判定部６０は、まず、第１比較部２からＣ＝ｓ信号が出力されているかどうかをチェックし（ステップＳ１１）、Ｃ＝ｓ信号が出力されているときは（ＹＥＳ）、（判定条件１）により、ＨＳＹＮＣ信号に水平同期信号が含まれていることを「検出」したと判定する。
【００７１】
第１比較部２からＣ＝ｓ信号が出力されていないときは（ＮＯ）、続いて第２比較部５Ａ〜５ＤからＣ≧ｓ信号が出力されているかどうかをチェックする（ステップＳ１２）。
【００７２】
第２比較部５Ａ〜５ＤからＣ≧ｓ信号が出力されているときは（ＹＥＳ）、その中の１つからのみＣ＝ｓ信号が出力されているどうかをチェックする（ステップＳ１３）。第２比較部５Ａ〜５Ｄの複数からＣ＝ｓ信号が出力されているときは（ＮＯ）、（判定条件２）により、ＨＳＹＮＣ信号に水平同期信号は含まれていない、すなわち、水平同期信号は「不検出」と判定する。
【００７３】
これに対して、第２比較部５Ａ〜５Ｄの１つからのみＣ≧ｓ信号が出力されているときは（ＹＥＳ）、（判定条件２）により、ＨＳＹＮＣ信号に水平同期信号が含まれていることを「検出」したと判定する。
【００７４】
一方、ステップＳ０２のチェックにおいて、第２比較部５Ａ〜５ＤからＣ≧ｓ信号が１つも出力されていないとき（ＮＯ）、つまり、第２比較部５Ａ〜５Ｄからの出力が総てＣ＜ｓ信号であるときは、さらに、加算部８０からの出力値が基準値ｓ以上であるかどうかをチェックする（ステップＳ１３）。加算部８０からの出力値が基準値ｓ以上であるときは（ＹＥＳ）、（判定条件３）により、ＨＳＹＮＣ信号に水平同期信号が含まれていることを「検出」したと判定する。
【００７５】
これに対して、加算部８０からの出力値が基準値ｓより小さいときは（ＮＯ）、（判定条件３）によりＨＳＹＮＣ信号に水平同期信号は含まれていない、すなわち、水平同期信号は「不検出」と判定する。
【００７６】
このような本実施例によれば、水平同期信号検出用に使用する信号が１水平期間に正確に同期していなくても、水平同期信号検出の判定を行なうことができる。また、テレビジョン方式が異なっていても、イネーブル信号およびクリア信号の周期を変えることなく水平同期信号検出の判定を行なうことができる。
【実施例３】
【００７７】
本実施例の全体の回路構成は実施例２と同じであるが、実施例２の加算部８０を加算部８０Ａに置換したものである。そこで、本実施例の全体回路についての説明は省略し、加算部８０Ａに関わることについてのみ説明する。
【００７８】
実施例２では、ＨＳＹＮＣ信号に基準値ｓに相当する数以上のパルスが含まれていて、それが水平同期信号ではなくノイズである場合、加算部８０で第２カウント部４Ａ〜４Ｄのカウント値Ｃ１〜Ｃ４の中の最大値と、その最大値を示す期間に隣接する期間のカウント値とを加算した結果が基準値ｓより小さくなることで、水平同期信号を「不検出」と判定している。しかし、ＨＳＹＮＣ信号に含まれるノイズの数が非常に多い場合、加算部８０の加算値が基準値ｓ以上となり、水平同期信号「検出」と誤判定する可能性がある。
【００７９】
そこで、本実施例の加算部８０Ａでは、このような誤判定を避けるため、第２カウント部４Ａ〜４Ｄのカウント値Ｃ１〜Ｃ４の中の最大値と、その最大値を示す期間に隣接する期間のカウント値から、カウント値Ｃ１〜Ｃ４の中の最小値を予め差し引いた上で、加算を行うようにする。
【００８０】
図８は、実施例３に係る水平同期信号検出回路で用いる加算部８０Ａの構成の例を示すブロック図である。
【００８１】
加算部８０Ａは、図６に示した加算部８０に含まれる最大値検出部８１、隣接カウント値選択部８２、加算器８３に加えて、カウント値Ｃ１〜Ｃ４の中から最小値を検出する最小値検出部８４と、最大値検出部８１の出力値から最小値検出部８４の出力値を差し引く減算器８５と、隣接カウント値選択部８２の出力値から最小値検出部８４の出力値を差し引く減算器８６、８７とを有する。
【００８２】
加算部８３は、指示部７０からの加算指示があったときに、減算器８５の出力値に減算器８６および減算器８７の出力値を加算する。
【００８３】
次に、加算部８０Ａにおいて、カウント値Ｃ１〜Ｃ４の中の最大値およびその最大値を示す期間に隣接する期間のカウント値から、カウント値Ｃ１〜Ｃ４の中の最小値を差し引くことの効果について説明する。
【００８４】
ＨＳＹＮＣ信号に含まれるノイズの数が非常に多い場合、ノイズはランダムに発生するため、第２カウント部４Ａ〜４Ｄのカウント値Ｃ１〜Ｃ４は一様に増加するものと考えられる。ＨＳＹＮＣ信号に水平同期信号が含まれていれば、水平同期信号をカウントした分、水平同期信号をカウントした第２カウント部のカウント値は増加する。したがって、カウント値Ｃ１〜Ｃ４の中で最小値を示すカウント値は、ノイズだけをカウントしたものと考えることができる。そこで、この最小値を示すカウント値を差し引くことで、最大値および隣接カウント値からノイズの影響を取り除くことができる。
【００８５】
このような本実施例によれば、水平同期信号抽出回路から出力される信号に重畳しているノイズの量が多くても、水平同期信号検出判定に与えるノイズの影響を除去することができる。
【図面の簡単な説明】
【００８６】
【図１】本発明の実施例１に係る水平同期信号検出回路の構成の例を示すブロック図。
【図２】本発明の実施例１に係る水平同期信号検出回路に入力される信号の例を示す波形図。
【図３】本発明の実施例１に係る水平同期信号検出回路の判定部における信号検出判定の手順を示すフロー図。
【図４】本発明の実施例２に係る水平同期信号検出回路の構成の例を示すブロック図。
【図５】本発明の実施例２に係る水平同期信号検出回路に入力される信号の例を示す波形図
【図６】本発明の実施例２に係る水平同期信号検出回路の加算部の構成の例を示すブロック図。
【図７】本発明の実施例２に係る水平同期信号検出回路の判定部における信号検出判定の手順を示すフロー図。
【図８】本発明の実施例３に係る水平同期信号検出回路の加算部の構成の例を示すブロック図。
【符号の説明】
【００８７】
１  第１カウント部
２  第１比較部
３  制御部
３Ａ、３Ｂ、３Ｃ、３Ｄ  ＡＮＤゲート
４Ａ、４Ｂ、４Ｃ、４Ｄ  第２カウント部
５Ａ、５Ｂ、５Ｃ、５Ｄ  第２比較部
６、６０  判定部
７０  指示部
８０、８０Ａ  加算部
８１  最大値検出部
８２  隣接カウント値選択部
８３  加算器
８４  最小値検出部
８５、８６、８７  減算器
【図１】
2007215134.tif 000003
【図２】
2007215134.tif 000004
【図３】
2007215134.tif 000005
【図４】
2007215134.tif 000006
【図５】
2007215134.tif 000007
【図６】
2007215134.tif 000008
【図７】
2007215134.tif 000009
【図８】
2007215134.tif 000010